(57)【特許請求の範囲】
【請求項１】
第１の端末において、ＰＡＤにより情報データをパケット化して送信し、送信されたパケットデータを複数の信号伝送経路を備えた伝送路により伝送し、第２の端末において前記伝送路から受信したパケットデータをＰＡＤにより元の情報データ形態に復元するパケット通信方法において、
前記第１の端末と第２の端末には複数の送受信系を設け、複数の送受信系のうちの１つを使用してパケット通信を行い、該パケット通信において受信データにおけるパケットロス率が予め設定した所定値に増加したことを検出したときには、他の送受信系を使用して前記第１の端末に前記１つの送受信系と共通のデータの送信を要求して受信し、
前記他の送受信系を使用して受信した受信データのパケットロス率と前記１つの送受信系を使用して受信した受信データのパケットロス率を比較し、パケットロス率が少ない受信データを受信する送受信系を選択して使用してパケット通信を継続し、パケットロス率が多い受信データを受信する送受信系を停止させるように行うことを特徴とするパケット通信方法。
【請求項２】
情報データのパケット化と復元を行うＰＡＤを備えた第１の端末と、情報データのパケット化と復元を行うＰＡＤを備えた第２の端末と、前記２つの端末間に介在してパケットデータを伝送する複数の信号伝送経路を備えた伝送路を備えたパケット通信システムにおいて、
前記第１の端末と第２の端末は、それぞれ複数の送受信系を備え、前記複数の送受信系の１つを使用してパケット通信を行い、該パケット通信における受信データのパケットロス率が予め設定した所定値に増加したことを検出したときには、他の送受信系を使用して前記第１の端末に前記１つの送受信系と共通のデータの送信を要求して受信するように構成し、
前記他の送受信系を使用して受信した受信データのパケットロス率と前記１つの送受信系を使用して受信した受信データのパケットロス率を比較し、パケットロス率が少ない受信データを受信する送受信系を選択して使用してパケット通信を継続し、パケットロス率が多い受信データを受信する送受信系を停止させるように構成したことを特徴とするパケット通信システム。
【請求項３】
通信データのパケット化と復元を行うＰＡＤを備えた端末において、
前記端末は、複数の送受信系を備え、前記複数の送受信系の１つを使用して第１のパケット通信を行い、該第１のパケット通信における通信データのパケットロス率が予め設定した所定値に増加したことを検出したときには、他の送受信系を使用して前記１つの送受信系と共通の通信データについての第２のパケット通信を行い、
前記他の送受信系を使用して受信した受信データのパケットロス率と前記１つの送受信系を使用して受信した受信データのパケットロス率を比較し、パケットロス率が少ない受信データを受信する送受信系を選択して使用してパケット通信を継続し、パケットロス率が多い受信データを受信する送受信系を停止させるように構成したことを特徴とする端末。
【発明の詳細な説明】
【技術分野】
【０００１】
本発明は、ネットワーク回線を使用して行うパケット通信方法及びそのための装置に関する。
【背景技術】
【０００２】
ネットワーク回線を使用して音声データと映像データを伝送（パケット通信）するＩＰ電話システムやＩＰ−ＴＶ会議システム等では、連続的な通信帯域の確保が必要となることから、ＵＤＰ(User Datagram Protocol)通信を採用している。
【０００３】
しかし、このＵＤＰ通信は、伝送路の伝送能力以上の通信情報が入力されると、超過分のパケットが失われることになる。
【０００４】
パケット通信により連係するＴＶ会議システムにおいては、映像データの一部のパケットが欠損すると、表示画面のコマ落ちとなり、音声データの一部のパケットが欠損すると、音が途切れて耳障りな音声となる。
【０００５】
このような不都合を防止するために、伝送路に複数の伝送ルートを選択するルータ部を設け、パケットの伝送遅れ時間に応じて伝送ルートを選択するようにするパケット伝送システムが提案されている（特許文献１）。
【先行技術文献】
【特許文献】
【０００６】
【特許文献１】特開２００４−２９７２６５号公報
【発明の概要】
【発明が解決しようとする課題】
【０００７】
ネットワーク回線を伝送路として音声データと映像データを伝送（パケット通信）するＩＰ電話システムやＩＰ−ＴＶ会議システム等において、映像データや音声データの一部のパケット欠損（パケットロス）や遅れを防止するために、従来のパケット伝送システムのように、伝送路中のルータ部によりパケットの伝送遅れ時間に応じて伝送ルートを選択するようにするシステムは、使用する伝送路の機能を変更する設備改造が必要であり、このような伝送ルート選択機能をもたないルータ部を備えた伝送路が介在する既存のネットワーク回線を使用するパケット通信システムには適用することができない。
【０００８】
本発明の目的は、既存のネットワーク回線を使用するパケット通信におけるパケットロスによる通信データの品質の低下による影響を防止又は軽減することにある。
【０００９】
具体的には、既存の伝送路を使用しても映像データや音声データの一部のパケットロスや伝送遅れによる表示画面のコマ落ちや音が途切れて耳障りな音声となるのを防止又は軽減することができるパケット通信方法及びそのための装置を提案することにある。
【課題を解決するための手段】
【００１０】
本発明は、伝送路を介して接続される複数の端末のそれぞれに複数の送受信部を設け、複数の送受信部のうちの１つの送受信部を使用して接続相手の端末とパケット通信を行っているときに、このパケット通信における伝送路でのパケットロス率が予め設定した設定値に増加したときには、他の送受信部を使用して接続相手の端末と前記パケット通信と同一のデータのパケット通信を行い、２系統のパケット通信におけるパケットロス率を大小比較してパケットロス率が小さい方の系統のパケット通信を採用して通信を継続し、パケットロス率が大きい系統はパケット通信を停止するものである。
【００１１】
具体的には、
本発明のパケット通信方法は、第１の端末において、ＰＡＤ（Packet Assembly Disassembly）により情報データをパケット化して送信し、送信されたパケットデータを複数の信号伝送経路を備えた伝送路により伝送し、第２の端末において、前記伝送路から受信したパケットデータをＰＡＤにより元の情報データ形態に復元するパケット通信方法において、
前記第１の端末と第２の端末には複数の送受信部を設け、複数の送受信部のうちの１つを使用してパケット通信を行い、該パケット通信において受信データにおけるパケットロス率が予め設定した所定値に増加したことを検出したときには、他の送受信部を使用して前記第１の端末に前記１つの送受信部と共通のデータの送信を要求して受信し、
前記他の送受信部を使用して受信した受信データのパケットロス率と前記１つの送受信部を使用して受信した受信データのパケットロス率を比較し、パケットロス率が少ない受信データを受信する送受信部を選択して使用してパケット通信を継続し、パケットロス率が多い受信データを受信する送受信部を停止させることを特徴とする。
【００１２】
また、本発明のパケット通信システムは、情報データのパケット化と復元を行うＰＡＤを備えた第１の端末と、情報データのパケット化と復元を行うＰＡＤを備えた第２の端末と、前記２つの端末間に介在してパケットデータを伝送する複数の信号伝送経路を備えた伝送路を備えたパケット通信システムにおいて、
前記第１の端末と第２の端末は、それぞれ複数の送受信部を備え、前記複数の送受信部の１つを使用してパケット通信を行い、該パケット通信における受信データのパケットロス率が予め設定した所定値に増加したことを検出したときには、他の送受信部を使用して前記第１の端末に前記１つの送受信部と共通のデータの送信を要求して受信するように構成し、
前記他の送受信部を使用して受信した受信データのパケットロス率と前記１つの送受信部を使用して受信した受信データのパケットロス率を比較し、パケットロス率が少ない受信データを受信する送受信部を選択して使用してパケット通信を継続し、パケットロス率が多い受信データを受信する送受信部を停止させるように構成したことを特徴とする。
【００１３】
また、本発明の端末は、通信データのパケット化と復元を行うＰＡＤを備えた端末において、
前記端末は、複数の送受信部を備え、前記複数の送受信部の１つを使用して第１のパケット通信を行い、該第１のパケット通信における通信データのパケットロス率が予め設定した所定値に増加したことを検出したときには、他の送受信部を使用して前記１つの送受信部と共通の通信データについての第２のパケット通信を行い、前記他の送受信部を使用して受信した受信データのパケットロス率と前記１つの送受信部を使用して受信した受信データのパケットロス率を比較し、パケットロス率が少ない受信データを受信する送受信部を選択して使用してパケット通信を継続し、パケットロス率が多い受信データを受信する送受信部を停止させるように構成したことを特徴とする。
【発明の効果】
【００１４】
本発明によれば、既存の伝送路を使用しても映像データや音声データの一部のパケット欠損や遅れによる表示画面のコマ落ちや音が途切れて耳障りな音声となるのを防止又は軽減することができるパケット通信方法及びそのための装置を実現することができる。
【図面の簡単な説明】
【００１５】
【図１】３つの拠点に設置した端末の相互間をネットワーク回線（伝送路）を介して接続して構成したＩＰ−ＴＶ会議システムのブロック図である。
【図２】第１の端末と第２の端末の間のパケット通信系における機能手段のブロック図である。
【図３】主制御部が実行する通信系切り換え制御のフローチャートである。
【発明を実施するための形態】
【００１６】
本発明のパケット通信方法は、第１の端末において、ＰＡＤ（Packet Assembly Disassembly）により情報データをパケット化して送信し、送信されたパケットデータを複数の信号伝送経路を備えた伝送路により伝送し、第２の端末において、前記伝送路から受信したパケットデータをＰＡＤにより元の情報データ形態に復元するパケット通信方法において、
前記第１の端末と第２の端末には複数の送受信部を設け、複数の送受信部のうちの１つを使用してパケット通信（第１のパケット通信）を行い、該パケット通信において受信データにおけるパケットロス率が予め設定した所定値に増加したことを検出したときには、他の送受信部を使用して前記第１の端末に前記１つの送受信部と共通のデータの送信を要求して受信し（第２のパケット通信）、
前記他の送受信部を使用して受信した受信データのパケットロス率と前記１つの送受信部を使用して受信した受信データのパケットロス率を比較し、パケットロス率が少ない受信データを受信する送受信部を選択して使用してパケット通信を継続し、パケットロス率が多い受信データを受信する送受信部を停止させるように行う。
【００１７】
また、本発明のパケット通信システムは、情報データのパケット化と復元を行うＰＡＤを備えた第１の端末と、情報データのパケット化と復元を行うＰＡＤを備えた第２の端末と、前記２つの端末間に介在してパケットデータを伝送する複数の信号伝送経路を備えた伝送路を備えたパケット通信システムにおいて、
前記第１の端末と第２の端末は、それぞれ複数の送受信部を備え、前記複数の送受信部の１つを使用してパケット通信を行い、該パケット通信における受信データのパケットロス率が予め設定した所定値に増加したことを検出したときには、他の送受信部を使用して前記第１の端末に前記１つの送受信部と共通のデータの送信を要求して受信するように構成し、
前記他の送受信部を使用して受信した受信データのパケットロス率と前記１つの送受信部を使用して受信した受信データのパケットロス率を比較し、パケットロス率が少ない受信データを受信する送受信部を選択して使用してパケット通信を継続し、パケットロス率が多い受信データを受信する送受信部を停止させるように構成する。
【００１８】
また、本発明の端末は、通信データのパケット化と復元を行うＰＡＤを備えた端末において、
前記端末は、複数の送受信部を備え、前記複数の送受信部の１つを使用して第１のパケット通信を行い、該第１のパケット通信における通信データのパケットロス率が予め設定した所定値に増加したことを検出したときには、他の送受信部を使用して前記１つの送受信部と共通の通信データについての第２のパケット通信を行い、
前記他の送受信部を使用して受信した受信データのパケットロス率と前記１つの送受信部を使用して受信した受信データのパケットロス率を比較し、パケットロス率が少ない受信データを受信する送受信部を選択して使用してパケット通信を継続し、パケットロス率が多い受信データを受信する送受信部を停止させるように構成する。
【実施例】
【００１９】
本発明は、ネットワーク回線（伝送路）を使用して音声データと映像データを伝送（パケット通信）するＩＰ電話システムやＩＰ−ＴＶ会議システム等におけるパケット通信に適用することができるが、ここでは、ＩＰ−ＴＶ会議システムへの適用例を説明する。
【００２０】
ＩＰ−ＴＶ会議システムは、離れて位置する複数の拠点に設置した端末をネットワーク回線を介して半二重通信方式でパケット通信するように接続し、各端末により音声データと映像データを送信及び受信（再生）する構成である。
【００２１】
図１は、３つの拠点に設置した端末１，２，３の相互間をネットワーク回線（伝送路）４を介して接続して構成したＩＰ−ＴＶ会議システムのブロック図である。
【００２２】
図２は、第１の拠点に設置した第１の端末１と第２の拠点に設置した第２の端末２の間において通信データ（音声データと映像データ）をパケット化してネットワーク回線４を介してパケット通信するパケット通信系を示すブロック図である。実際には、第３の拠点に設置した第３の端末３との間にも同様のパケット通信系を設けるが、第１の端末１と第２の端末２間のパケット通信系と同様に構成するものであることから説明を省略する。
【００２３】
各端末１，２，３は、映像情報と音声情報を入力してネットワーク回線４を介して映像データと音声データを送信し、受信した映像データと音声データを再生出力する機能手段を備えたコンピュータシステムによって構成する。
【００２４】
第１の端末１は、入出力手段として、音声データを生成するマイクロフォン１０１と映像データを生成する電子カメラ１０２と映像データを再生するディスプレイ１０３と音声データを再生するスピーカ１０４と指令を入力するキーボード１０５を備える。
【００２５】
この第１の端末１の信号処理手段は、メモリ（レジスタ）やＣＰＵやプログラムや専用の処理回路によって構成され、次のような処理機能部を備える。
【００２６】
主制御部１０６は、キーボード１０５から入力される指令に従って端末全体の処理機能部を制御する機能手段であり、パケットアナライザー機能部、パケット損失率解析部、送受信制御部制御機能部を備える。
【００２７】
ＡＶ入出力制御部１１１は、マイクロフォン１０１から出力される送信用の音声データと電子カメラ１０２から出力される送信用の映像データを取得して後述する第１，２のＰＡＤに同一の第１，第２の送信用映像データ及び送信用音声データとして入力し、パケット通信によって受信して後述する第１，２のＰＡＤによって復元した第１，２の受信映像データ及び受信音声データの一方を出力用の映像データ及び音声データとして選択してディスプレイ１０３とスピーカ１０４に供給するように機能する。
【００２８】
第１のＰＡＤ１１２ａは、ＡＶ入出力制御部１１１から入力した第１の送信用音声データと映像データを第１の送信用パケットデータに変換して出力し、パケット通信によって受信した第１の受信パケットデータを元のデータ形態の映像データと音声データに復元するように機能する。
【００２９】
第２のＰＡＤ１１２ｂは、ＡＶ入出力制御部１１１から入力した第２の送信用音声データと映像データを第２の送信用パケットデータに変換して出力し、パケット通信によって受信した第２の受信パケットデータを元のデータ形態の映像データと音声データに復元するように機能する。
【００３０】
第１の送受信制御部１１３ａ，第２の送受信制御部１１３ｂは、前記ＰＡＤ１１２ａ，１１２ｂで生成した第１，第２の送信用パケットデータの送信制御と受信パケットデータの受信制御を実行するように機能する。
【００３１】
回線接続部１１４は、ネットワーク回線４と接続し、第１，第２の送受信制御部１１３ａ，１１３ｂで制御した送信パケットデータをネットワーク回線４に送出し、ネットワーク回線４から受信パケットデータを入力するように機能する。
【００３２】
このように構成した第１の端末１において、前記第１のＰＡＤ１１２ａと第１の送受信制御部１１３ａと回線接続部１１４は第１の通信ポート（ポート番号）で通信する第１の送受信系を構成し、前記第２のＰＡＤ１１２ｂと第２の送受信制御部１１３ｂと回線接続部１１４は第２の通信ポート（ポート番号）で通信する第２の送受信系を構成する。
【００３３】
第２の端末２は、前述した第１の端末１と同様に構成され、入出力手段として、マイクロフォン２０１と電子カメラ２０２とディスプレイ２０３とスピーカ２０４とキーボード２０５を備える。
【００３４】
また、この第２の端末２の信号処理手段も、メモリ（レジスタ）やＣＰＵやプログラムによって構成され、主制御部２０６と、ＡＶ入出力制御部２１１と、第１のＰＡＤ２１２ａ及び第２のＰＡＤ２１２ｂと、第１の送受信制御部２１３ａ及び第２の送受信制御部２１３ｂと、回線接続部２１４とを備える。
【００３５】
このように構成した第２の端末２においても、前記第１のＰＡＤ２１２ａと第１の送受信制御部２１３ａと回線接続部２１４は第１の通信ポート（ポート番号）で通信を行う第１の送受信系を構成し、前記第２のＰＡＤ２１２ｂと第２の送受信制御部２１３ｂと回線接続部２１４は第２の通信ポート（ポート番号）で通信を行う第２の送受信系を構成する。
【００３６】
第１の端末１と第２の端末２は、実際には、更に多くの送受信系（通信ポート）を備え、他の端末とも併行して通信することができる構成である。
【００３７】
このＩＰ−ＴＶ会議システムは、ＴＶ会議を行うときには、以下のように機能する。ここでは、第２の端末２が第１の端末１から音声データと映像データを受信して再生するときの通信制御処理について説明する。第２の端末２から第１の端末１へも同様に音声データと映像データを送受信して再生するが、各端末１、２は同様に機能するので具体的な説明は省略する。
【００３８】
第１の端末１と第２の端末２を起動し、各機能手段を動作させてパケット通信可能状態とする。
【００３９】
第２の端末２の主制御部２０６は、キーボード２０５からの指示入力に基づいて、第１のＰＡＤ２１３ａと第１送受信制御部２１３ａ及び回線接続部２１４を制御して第１の通信ポート（ＩＰアドレスとポート番号）で第１の端末１に対してデータ送信を要求する制御処理を行う。
【００４０】
第１の端末１の主制御部１０６は、このデータ送信要求に呼応して、第１のＰＡＤ１１２ａと第１送受信制御部１１３ａ及び回線接続部１１４を制御し、ＡＶ入出力制御部１１１から出力される音声データと映像データを第１の送信用パケットデータに変換し、この第１の送信用パケットデータを第１の送受信制御部１１３ａと回線接続部１１４を通して前記第２の端末２の第１の通信ポート（ＩＰアドレスとポート番号）宛にネットワーク回線４に出力して第２の端末２に送信（第１のパケット通信）する制御処理を行う。
【００４１】
第２の端末２の主制御部２０６は、ネットワーク回線４から回線接続部２１４を介して受信した第１の受信パケットデータを第１の送受信制御部２１３ａから第１のＰＡＤ２１２ａに入力して元のデータ形態に復元させ、ＡＶ入出力制御部２１１により音声データと映像データとしてスピーカ２０４とディスプレイ２０３に供給して再生する制御処理を行う。
【００４２】
第２の端末２は、このような第１のパケット通信におけるデータ受信・復元・再生状態において、主制御部２０６は、パケットアナライザー機能部によりパケットロスを検出し、パケット損失解析部によりパケットロス率を解析し、送受信制御部制御機能部によりパケットロス率が予め設定した設定値（ＦＥＣにより修復可能で音質低下の限界ロス状態で、例えば２０％）に増加したのを検出すると、第２のＰＡＤ２１２ｂと第２の送受信制御部１１３ｂを制御（起動）して第２の通信ポート（ＩＰアドレスとポート番号）で第１の端末１に対してデータ送信を要求する制御処理（第２のパケット通信系の起動）を行う。
【００４３】
第１の端末１の主制御部１０６は、この第２のＰＡＤ２１２ｂからのデータ送信要求に呼応して、第２のＰＡＤ１１２ｂを制御して第１のＰＡＤ１１２ａにより送信しているものと同一の音声データと映像データを第２の送信用パケットデータに変換し、この第２の送信用パケットデータを第２の送受信制御部１１３ｂから回線接続部１１４を介して前記第２の端末２の第２の通信ポート（ＩＰアドレスとポート番号）宛にネットワーク回線４に送信する制御処理を行う。
【００４４】
第２の端末２の主制御部２０６は、ネットワーク回線４から回線接続部２１４を介して受信した第２の受信パケットデータを第２の送受信制御部２１３ｂから第２のＰＡＤ２１２ｂに入力して元のデータ形態に復元させ、ＡＶ入出力制御部２１１により音声データと映像データとしてスピーカ２０４とディスプレイ２０３に供給して再生することができるようにするバックアップ通信制御処理を行い（この時点では、第１のパケット通信系により受信したデータの再生を継続する。）、更に、この第２の受信パケットデータのパケットロスをパケットアナライザー機能部により検出し、パケット損失解析部によりパケットロス率を解析し、送受信制御部制御機能部により第１の受信パケットデータのパケットロス率と第２の受信パケットデータのパケットロス率を大小比較し、パケットロス率が小さい方の受信パケットデータを採用して音声データと映像データをスピーカ２０４とディスプレイ２０３に供給して再生するように送受信部を切り換える制御処理を行う。
【００４５】
この主制御部２０６による通信系切り換え制御処理を図３を参照して説明する。
【００４６】
ステップＳ１
起動している通信経路（パケット通信系）数を確認して処理を分岐する。
【００４７】
ステップＳ２
起動している通信経路数が１つの場合には、起動している通信経路（第１のパケット通信系）で受信している受信パケットデータのパケットロス率を解析する。
【００４８】
ステップＳ３
解析したパケットロス率が予め設定した設定値以上かどうかを確認して処理を分岐する。
【００４９】
ステップＳ４
起動している通信経路（第１のパケット通信系）のパケットロス率が設定値以上に増加していると他の通信経路（第２のパケット通信系）を起動し、２つのパケット通信系を併行して稼動状態とする。
【００５０】
ステップＳ５
２つのパケット通信系が併行して稼動状態にあるときには、先ず、第１のパケット通信系のパケットロス率を解析する。
【００５１】
ステップＳ６
次いで、第２のパケット通信系のパケットロス率を解析する。
【００５２】
ステップＳ７
第１のパケット通信系と第２のパケット通信系のパケットロス率を大小比較し、比較結果に基づいて処理を分岐する。
【００５３】
ステップＳ８
第１のパケット通信系のパケットロス率が第２のパケット通信系のパケットロス率よりも大きいときには、第２のパケット通信系を選択してパケット通信を継続し、第１のパケット通信系によるパケット通信を停止する。
【００５４】
ステップＳ９
第１のパケット通信系のパケットロス率が第２のパケット通信系のパケットロス率よりも大きくないときには、第１のパケット通信系を選択してパケット通信を継続し、第２のパケット通信系によるパケット通信を停止する。
【００５５】
因みに、ネットワーク回線４においては、第１のパケット通信と第２のパケット通信の信号を異なる信号伝送経路で伝送するが、一般的には、後から起動した第２のパケット通信における信号伝送経路は、先に起動してパケットロスが増加している第１のパケット通信における信号伝送経路よりも回線混雑が少ない伝送ルートを選択するようにしている。
【００５６】
そこで、第２の端末２の主制御部２０６の送受信制御部制御機能部による前記切り換え制御処理は、第２の受信パケットデータのパケットロス率が第１の受信パケットデータのパケットロス率よりも小さいと判定すると、第２送受信制御部２１３ｂにより受信して第２のＰＡＤ２１２ｂにより復元した音声データと映像データをスピーカ２０４とディスプレイ２０３に供給して再生するようにＡＶ入出力制御部２１１を制御（第２のパケット通信系によるパケット通信に切り換え）し、そして、第１のＰＡＤ２１２ａと第１送受信制御部２１３ａによるパケット通信を停止させる制御処理を行う。
【００５７】
しかし、前記大小比較において、第２の受信パケットデータのパケットロス率が第１の受信パケットデータのパケットロス率よりも大きいと判定したときには、第１の受信パケットデータによるパケット通信を継続し、第２のＰＡＤ２１２ｂと第２送受信制御部２１３ｂによるパケット通信を停止させる制御処理を行う。
【００５８】
以降は、第１の端末１と第２の端末２は、第２のパケット通信系によるパケット通信を継続し、そのパケットロス率を同様に検出、解析及び監視し、この第２のパケット通信系におけるパケットロス率が予め設定した設定値に増加すると、停止している第１のパケット通信系によるパケット通信に切り換えるための同様のバックアップ通信制御処理を行う。
【００５９】
このように、第1のパケット通信系によるパケット通信においてパケットロス率を解析し、この第1のパケット通信系におけるパケットロス率が予め設定した設定値に増加すると第２のパケット通信系により前記第1のパケット通信系における送信データと同一の送信データについて併行してパケット通信を行い、そして、第1のパケット通信系におけるパケットロス率と第２のパケット通信系におけるパケットロス率を大小比較し、パケットロス率が小さい方のパケット通信系における送信データを再生・出力するように切り換えることにより、ネットワーク回線（伝送経路）における回線混雑によるパケットロスの影響を軽減したパケット通信を継続して実現することができる。また、パケットロス率が大きい方のパケット通信系はパケット通信を停止させる制御処理を行うことにより、ネットワーク回線の負荷（伝送量の増加）を軽減することができる。
【符号の説明】
【００６０】
１…第１の端末、２…第２の端末、３…第３の端末、４…ネットワーク回線、
１０６，２０６…主制御部、１１１，２１１…ＡＶ入出力制御部、１１２ａ，２１２ｂ…第１のＰＡＤ、１１２ｂ，２１２ｂ…第２のＰＡＤ、１１３ａ，２１３ａ…第１の送受信制御部、１１３ｂ，２１３ｂ…第２の送受信制御部、１１４，２１４…回線接続部。
【図１】
0005794631.tif 000002
【図２】
0005794631.tif 000003
【図３】
0005794631.tif 000004